(57)【要約】【課題】ビデオモニタに縮小画面を表示する時に判定線の欠落を避けた着順およびタイム判定装置を提供する。【解決手段】移動体の縮小画像２８を少なくとも表示する表示画面に、所定間隔の判定線２６を表示することを特徴とする。【選択図】  図２
2004201019.tif 000002
【特許請求の範囲】
【請求項１】
ラインセンサカメラを用いて記憶した映像信号より移動体の着順およびタイムを判定する着順およびタイム判定装置において、前記移動体の縮小画像を少なくとも表示する表示画面に、所定間隔の判定線を表示することを特徴とする着順およびタイム判定装置。
【請求項２】
ラインセンサカメラを用いて記憶した映像信号より移動体の着順およびタイムを判定する着順およびタイム判定装置において、前記移動体の縮小画像を、所定間隔の判定線を重畳した移動体の画像より作成する際、前記所定間隔の判定線を選択して作成し、作成した前記移動体の縮小画像を、表示画面に表示することを特徴とする着順およびタイム判定装置。
【請求項３】
ラインセンサカメラを用いて記憶した映像信号より移動体の着順およびタイムを判定する着順およびタイム判定装置において、前記移動体の縮小画像に、所定間隔の判定線を重畳して表示画面に表示することを特徴とする着順およびタイム判定装置。
【発明の詳細な説明】
【０００１】
【発明の属する技術分野】
本発明は、ラインセンサカメラを用いて記憶した映像信号より着順およびタイムを判定する着順およびタイム判定装置に関するものである。
【０００２】
【従来の技術】
従来のラインセンサカメラを使用した着順およびタイム判定装置（例えば、特許文献１）は、ゴールライン等の判定基準線上を通過する移動体を、前記判定基準線に正確に一致させたラインセンサカメラを使用して撮像し、該ラインセンサカメラの出力である一次元の映像信号を走査変換機能を有する画像記憶部に入力し、着順判定に必要な時間情報等とともに記録し、ラインセンサカメラの一次元の映像信号を二次元の映像信号に走査変換して着順判定に必要な時間情報等とともに画像記録部より読み出し、ビデオモニタに出力し、判定に必要な画像を表示するものである。
【０００３】
着順およびタイム判定装置を使用するものとしては、競艇、競馬、競輪、陸上競技等があり、ボート、馬、自転車、走者等の移動体がゴールライン等の判定基準線上を通過し、着順判定画像として記憶し読み出して表示する。
【０００４】
【特許文献１】
特開２０００−１３４６１２号公報（第２から３頁、図１）
【０００５】
【発明が解決しようとする課題】
従来は、写真に替わる電子式着順判定装置であるため、その画像は超高精細の画像が必要であり、例えば２０４８×２０４８画素のメモリ画像を表示できる超高精細ビデオモニタに表示するなどして判定を行っている。しかし、この超高精細ビデオモニタの映像信号は一般的でないため、ファンサービス等に競艇、競輪場内外に設置してあるＮＴＳＣ方式のビデオモニタにはそのまま表示することができない。そのため、縦１／５、横１／４などに間引いて縮小画面を作成し、この画面をＮＴＳＣなどの信号としてファンサービス用に出力していた。
【０００６】
図５は従来の縮小画面作成および表示の仕方を示す図である。上記画像記憶部に記憶の画像４０は、移動体４１の画像と所定間隔の判定線４２からなり、この画像４０を４ラインの先頭の１ライン（斜線図示のライン）を残し次の３ラインを間引く場合、間引いたラインに判定線４２があると、その判定線４２の図示では判定線ｂとｃが抜けてしまうため、縮小画面５０では、判定線４２ｂと４２ｃが欠落してしまう。
【０００７】
本発明の目的は、ビデオモニタに縮小画面を表示する時に判定線の欠落を避けた着順およびタイム判定装置を提供することにある。
【０００８】
【課題を解決するための手段】
本発明は、ラインセンサカメラを用いて記憶した映像信号より移動体の着順およびタイムを判定する着順およびタイム判定装置において、前記移動体の縮小画像を少なくとも表示する表示画面に、所定間隔の判定線を表示することを特徴とする着順およびタイム判定装置である。
【０００９】
本発明は、ラインセンサカメラを用いて記憶した映像信号より移動体の着順およびタイムを判定する着順およびタイム判定装置において、前記移動体の縮小画像を、所定間隔の判定線を重畳した移動体の画像より作成する際、前記所定間隔の判定線を残して作成し、作成した前記移動体の縮小画像を、表示画面に表示することを特徴とする着順およびタイム判定装置である。
【００１０】
本発明は、ラインセンサカメラを用いて記憶した映像信号より移動体の着順およびタイムを判定する着順およびタイム判定装置において、前記移動体の縮小画像に、所定間隔の判定線を重畳して表示画面に表示することを特徴とする着順およびタイム判定装置である。
【００１１】
【発明の実施の形態】
本発明の着順およびタイム判定装置の一実施例について、以下、図１〜図４により説明する。
【００１２】
図１は本発明の着順およびタイム判定装置の一実施例を示すブロック図である。図１に示す着順およびタイム判定装置において、１はスタート／ゴールライン等の判定基準線、２は判定基準線１上を通過する移動体であるボート、３はラインセンサカメラ、４はレンズ、５は画像記録部、１６は超高精細ビデオモニタ、１７は画像ファイリング装置、１８はビデオプリンタ、１９は予告信号、２０は基準タイマスタート信号、２１はメモリ取込み信号、２２は操作器を示している。
【００１３】
画像記録部５をさらに詳しく説明すると、６はラインセンサカメラ３から出力された映像信号をディジタル信号化するＡ／Ｄ変換回路、７はＡ／Ｄ変換回路６からのディジタル映像信号をメモリ部に記憶させる書き込み回路、８はディジタル映像信号やディジタル情報信号を記憶するメモリ部、９−１はメモリ部８に記憶したディジタル映像信号やディジタル情報信号を走査変換して読み出す読み出し回路、１０−１はディジタル映像信号やディジタル情報信号をアナログ信号化するＤ／Ａ変換回路、１１はタイム発生器、１２はメモリ部８の書き込みおよび読み出しを制御するアドレス制御部、１３は文字発生器、１４は中央処理装置（以下、ＣＰＵと記す）、１５は外部信号とのインタフェイスを行うインタフェイス部である。
【００１４】
また、２３−１は縮小画像用メモリであって、書き込み回路７は、ディジタルＲＧＢ映像信号をメモリ部８と縮小画像用メモリ２３−１とに分岐して入力する。１０−２は縮小画像用メモリ２３−１から出力されるディジタルデータをアナログ信号に変換するＤ／Ａ変換器、２４はＮＴＳＣビデオモニタである。
【００１５】
被写体である判定基準線上１を通過する移動体２を、レンズ４を使用してラインセンサカメラ３により撮像し、一次元映像信号を得る。センサカメラ３は、取り込み周期（例えば、０．数ｍｓｅｃから数ｍｓｅｃ）毎に一次元映像信号を撮像する。
【００１６】
ラインセンサカメラ３の映像信号は、画像記録部５へ出力され、映像信号がＡ／Ｄ変換回路６によりディジタル映像データに変換され、書き込み回路７を経由して、メモリ部８へ書き込まれ記憶される。
【００１７】
メモリ部８は、ディジタル映像データを記憶すると同時に、画像に重畳するためのディジタル情報が記憶される。ディジタル情報としては、例えば、タイム発生器１１から出力されるスタートからの経過時刻や、文字情報発生器１３から出力される競技名等の文字や記号、及び判定線がある。
【００１８】
読み出し回路９−１は、メモリ部８に記憶されているディジタル映像データやディジタル情報データを二次元の映像信号と二次元の情報信号に走査変換して読み出して、Ｄ／Ａ変換回路１０−１によりアナログＲＧＢ映像データやアナログ情報データに変換して、超高精細ビデオモニタ１６へ出力する。
【００１９】
超高精細ビデオモニタ１６は、Ｄ／Ａ変換回路１０−１から入力された二次元の映像信号と情報信号とから着順およびタイムの判定に必要な画像を表示する。また、必要に応じて画像ファイリング装置１７に記録して保存し、また、ビデオプリンタ１８にその画像をプリントすることも行える。
【００２０】
上記書き込み回路７、メモリ部８、読み出し回路９−１等は、アドレス制御部１２の制御信号により、書き込み、読み出しの制御が行われる。また、操作器２２からの、映像信号や情報信号等の信号の記録および読み出しの手段の選択による各種制御や、外部供給信号としての予告信号１９、基準タイマスタート信号２０、メモリ取込み信号２１等は、インタフェイス部１５を経由し、装置全体の制御を含めＣＰＵ１４により管理される。
【００２１】
本実施例の着順及びタイム判定装置では、１ライン２０４８画素のラインセンサを使用し、モニタに表示するメモリの構成は２０４８×２０４８ラインである。実際の判定用ビデオモニタは、超高精細ビデオモニタ１６を使用しており、２０４８×２０４８画素の表示が行えるが、場内および場外に設置してあるファンサービス用のビデオモニタ２４はＮＴＳＣ方式などのモニタであるため、表示するためには間引き表示するなどして縮小表示しなければならない。
【００２２】
このとき、単純に間引きを行うと、従来の図５に示す、従来の縮小画面作成および表示の仕方では、すでに説明したように、着順判定用の縮小画面上の移動体の縮小画像とともに表示すべき判定線が抜けてしまう場合がある。例えば図５に示すように着順判定用のメモリ画像を横方向で１／４に間引いた場合、判定線４２がその間引くライン上にあると消去されてしまう。
【００２３】
そこで、本実施例の着順及びタイム判定装置では、画像記録部５に、メモリ部８に接続され且つＮＴＳＣ方式のビデオモニタ２４に表示させるための縮小画像用メモリ部２３−１と、その縮小画像用メモリ部２３−１の内容を読み出しＮＴＳＣ方式ビデオモニタ２４に表示させる読み出し回路９−２と、読み出した内容をアナログ信号化するＤ／Ａ変換回路１０−２を備え、且つ中央処理装置（ＣＰＵ）１４で、メモリ部８からのメモリ画像上の判定線の位置を記憶させてその位置を判定し、間引く場合に、その判定線が表示されている位置のラインが欠落しないような処理を行い、判定線が消えないようにする。
【００２４】
図２は図１における縮小画面作成および表示の仕方を示す図である。図１の書き込み回路７から入力されるディジタル映像データを縮小画像メモリ部２３−１に記憶する。記憶したディジタル映像データからなる図２のメモリ画像２５には、移動体２に、所定間隔の判定線２６ａ，２６ｂ，２６ｃ，…が重畳されている。
【００２５】
横方向を１／４に間引く場合、４ライン（斜線図示のラインを先頭とする４ライン、符号２７で示す。）毎に判定線２６があるか確認し、判定線２６がない場合はその４ラインの先頭のライン（斜線図示のライン）のみを縮小画像用メモリ部２３−１に転送し、判定線２６がある場合は判定線２６の部分のラインをっ選択して縮小画像用メモリ部２３−１に転送する。この縮小画像用メモリ部２３−１の内容を読み出し回路９−２およびＤ／Ａ変換回路１０−２にてＮＴＳＣ方式ビデオモニタ２４に表示させる。
【００２６】
これにより、縮小時の判定画像は、２８に示すような判定線２６ａ，２６ｂ，２６ｃ，…の欠落がない画像を得ることができる。このとき、間引きした判定線の位置は正確には均等ではなくなるが、本判定線は着差の目安であり、正確な着順、タイム計測は超高精細ビデオモニタ１６上で行われるため問題はない。
【００２７】
図３は本発明の着順およびタイム判定装置の他の実施例を示すブロック図である。図１に比べ、縮小画像用メモリ部２３−１に、判定線メモリ部２３−２が接続されている。また図３においては、メモリ部８に判定線が文字発生器１３から入力されない。本実施例は、画像を縮小し、縮小した後、判定線を重畳する方式である。
【００２８】
図４は図３における縮小画面作成および表示の仕方を示す図である。本実施の形態では、図３の縮小画像用メモリ部２３−１で、画像を間引きにより、例えば縦１／５、横１／４に縮小した縮小画像２８を作成し、その縮小画像２８に、判定線メモリ部２３−２内に予め作成してある縮小画像用の判定線の画像２９を重畳して、判定線合成画像３０を作成し、図３の読み出し回路９−２からＡ／Ｄ変換回路１０−２を通してＮＴＳＣ方式のビデオモニタ２４に表示させることにより、判定線の欠落がない縮小画像を表示する。
【００２９】
【発明の効果】
本発明によれば、ビデオモニタに縮小画面を表示する時に判定線の欠落を避けた着順およびタイム判定装置を得ることができる。
【図面の簡単な説明】
【図１】本発明の着順およびタイム判定装置の一実施例を示すブロック図である。
【図２】図１における縮小画面作成および表示の仕方を示す図である。
【図３】本発明の着順およびタイム判定装置の他の実施例を示すブロック図である。
【図４】図３における縮小画面作成および表示の仕方を示す図である。
【図５】従来の縮小画面作成および表示の仕方を示す図である。
【符号の説明】
１：判定基準線、２：移動体、３：ラインセンサカメラ、４：レンズ、５：画像記録部、６：Ａ／Ｄ変換器、７：書き込み回路、８：メモリ部、９−１，９−２：読み出し回路、１０−１，１０−２：Ｄ／Ａ変換回路、１１：タイム発生器、１２：アドレス制御部、１３：文字発生器、１４：中央処理装置、１５：インタフェイス回路、１６：超高精細ビデオモニタ、１７：画像ファイリング装置、１８：ビデオプリンタ、１９：予告信号、２０基準タイマスタート信号、２１：メモリ取込み信号、２２：操作器、２３−１：縮小画像用メモリ部、２３−２：判定線メモリ部、２４：ＮＴＳＣビデオモニタ、２５：メモリ画像、２６：判定線、２７：４ライン、２８：縮小時の判定画像、２９：判定線の縮小画像、３０：判定線合成画像。
【図１】
2004201019.tif 000003
【図２】
2004201019.tif 000004
【図３】
2004201019.tif 000005
【図４】
2004201019.tif 000006
【図５】
2004201019.tif 000007